(57)【要約】【課題】ストロボ光に代わる、ソフトでライティングのし易い撮影用照明装置を提供する事。【解決手段】高輝度、高効率の蛍光灯を組み合わせて、面光源とした照明器本体を２台１組とし、各照明器本体はユニバーサルジョイント機構を応用して首振り自由とし、且つ自然に重力的なバランスが取れるようにし、更に被写体に対する照射角を、容易に設定出来る機構にした。尚蛍光灯はインバータ調光式を採用し、より微調が出来るようにした。【選択図】    図４
2004178908.tif 000002
【特許請求の範囲】
【請求項１】
蛍光灯を組み込んだ照明器本体（１）の外周に間隔を持って外設する回転枠（２）を設け、前記照明器本体（１）は外周の上下対称となる軸着点（１０１，１０２）で前記回転枠（２）に回動自在に軸着され、前記回転枠（２）は、前記照明器本体（１）の仮想回転軸と直交する仮想回転軸上の２点で外接する連結バー（３，３’）の一端にある軸着点（２０１，２０２）に回動自在に軸着され、前記連結バー（３，３’）の他端にある軸着点（２０３，２０４）には、併設した照明器本体（１’）を組み込んだ回転枠（２’）を前記回転枠（２）と互いに干渉しない間隔で軸着し、前記２本の連結バー（３，３’）はその中央部にある軸着点（３０１，３０２）で、更に外接する支柱（４，４’）と回動自在に軸着され、前記支柱（４，４’）は、キャスター（６）を有し全体を保持する架台（５）に固定されて成ることを特徴とする撮影用ユニバーサルライティング装置。
【請求項２】
照明器本体（１）を保持する回転枠（２）の軸着点（１０１，１０２）を通る仮想回転軸と、前記回転枠（２）と連結バー（３，３’）との軸着点（２０１，２０２）を通る仮想回転軸は、互いに交差し、その交点が前記照明器本体（１）の重心と重なる様に構成され、同様に併設した照明器本体（１’）も回転枠（２’）との軸着点（１０３，１０４）を通る仮想回転軸と、前記回転枠（２’）と前記連結バー（３，３’）との軸着点（２０３，２０４）を通る仮想回転軸は交差し、その交点が併設した前記照明器本体（１’）の重心と重なる様に構成されたことを特徴とする請求項１記載の撮影用ユニバーサルライティング装置。
【請求項３】
照明器本体（１，１’）、回転枠（２，２’）、連結バー（３，３’）及び支柱（４，４’）の各軸着点（１０１，１０２，１０３，１０４，２０１，２０２，２０３，２０４，３０１，３０２）に於いて、ボルト、ナットによるパッキンの締め付け具合で静止摩擦力を調整出来るようにしたことを特徴とする請求項１又は２記載の撮影用ユニバーサルライティング装置。
【発明の詳細な説明】
【０００１】
【発明の属する技術分野】
本発明は、写真やビデオ撮影を容易にするための、撮影用照明装置に関するものである。
【０００２】
【従来の技術】
従来、自然光に頼らないスタジオなどの撮影においては、手軽で便利なストロボが主に用いられていたが、ストロボ光による撮影は強力な点光源のため、大きな明暗差で強い影が生じやすく、被写体の質感や諧調を表現するのにアンブレラや各種のディフューザ、レフ板等を駆使してライティングを行なっていた。又光源の位置や光量をかえる毎に、フラッシュメーター等で随所の定常光とストロボ光を測定する必要がありその都度発光する必要があった。
一方、光源を何灯も組み合わせて撮影する場合や、ビンやガラス、アクセサリー類等の透過性のある被写体では、反射光のみならず透過光のみ、または透過光を併用する撮影がなされ、適正露光値の把握が更に困難となり、その都度ポロライドカメラ等で何回もテスト撮影をする事が多々あった。
更にストロボ発光器は、電気をコンデンサーにチャージして瞬時に放電するものであるが、放電後速やかにチャージする必要がある。業務用は最低でも１ＫＷｓ、通常２〜３ＫＷｓを２〜３台同時に、且つ断続的に使用するのでピークに耐え得る大容量の電源設備が必要であった。
又、近年著しく進歩しているデジタルカメラは、従来の銀塩フィルムに比べ、撮像素子の特性上現時点では白飛び、黒つぶれが強い、即ち高輝度、低照度部分での諧調表現が困難である。従ってストロボ光をディフューズ（拡散）あるいはバウンス（反射）させて、強い陰影の軽減やハイライト部の諧調の再現を試みていたがベストとは言えなかった。
尚、照明器の機構においては、首振り自在の照明器は有ったが、各仮想回転軸が照明器本体の重心と合致し、且つ２台の照明器本体が、互いに重力のバランスを取りながら連動する物は無かった。（例えば、特許文献１参照）
【０００３】
【特許文献１】
特開平７−６５６２３号公報  （第２−３頁、第８図）
【発明が解決しようとする課題】
本発明は、上記の事情に鑑み、自然光が利用できなかったり、又不都合な場合に使用する撮影用照明を、効果的で効率良く使するために考慮されたものであり、その目的は、
（１）  面光源の利用により被写体に極端な陰影を作らず、よりソフトな感じを演出し、その状況を容易に把握できる撮影用照明器具を提供する事。
（２）  被写体に効率よく、又効果的に照射出来るように、光源の位置と、角度を自在に設定できる機構を提供する事。
（３）  照明器本体の位置や角度を変えても転倒しないように、自然にバランスが採れて、常に安定した状態が保持できる機構を提供する事。
（４）  照明器本体の位置や角度を変更する場合、速やかに且つ円滑に行える機構を提供する事。
【０００４】
【課題を解決するための手段】
かかる課題を解決した本発明の、撮影用ユニバーサルライティング装置は、
蛍光灯を組み込んだ照明器本体の外周に間隔を持って外設する回転枠を設け、前記照明器本体は外周の上下対称となる軸着点で前記回転枠に回動自在に軸着され、前記回転枠は、前記照明器本体の仮想回転軸と直交する仮想回転軸上の２点で外接する連結バーの一端にある軸着点に回動自在に軸着され、前記連結バーの他端にある軸着点には、併設した照明器本体を組み込んだ回転枠を前記回転枠と互いに干渉しない間隔で軸着し、前記２本の連結バーはその中央部にある軸着点で、更に外接する支柱と回動自在に軸着され、前記支柱は、キャスターを有し全体を保持する架台に固定された装置である。
【０００５】
尚、照明器本体を保持する回転枠の軸着点を通る仮想回転軸と、前記回転枠と連結バーとの軸着点を通る仮想回転軸は、互いに交差し、その交点が前記照明器本体の重心と重なる様に構成され、同様に併設した照明器本体も回転枠との軸着点を通る仮想回転軸と、前記回転枠と前記連結バーとの軸着点を通る仮想回転軸は交差し、その交点が併設した前記照明器本体の重心と重なる様に構成することで、各々の照明器本体を常に安定した状態に保持できる。
【０００６】
更に前記の撮影用ユニバーサルライティング装置の照明器本体、回転枠、連結バー、及び支柱のそれぞれに設けた軸着点に於いて、パッキンの締め付け具合で静止摩擦力を調整出来るようにする事で照明器本体の位置や角度の調節を速やかに且つ円滑に行う事が出来る。
【０００７】
【作用】
本発明は、前記の様に蛍光灯を用いた照明器本体を２台１組とし、位置や首振り角を自由に設定できる様にした事で、ストロボの瞬間的な発光による点光源から、連続的な面光源が得られ、ソフトな陰影を継続的に創る事が出来、且つ２台の照明器本体を駆使して、速やかに各々の位置と角度を効率よく効果的にセットする事が出来るように成ったので、陰影や中間色の出具合をカメラのファインダーで直接確認しながら、確実な撮影が出きる様に成り、特別な経験や勘を必要とせず、極めて高能率な撮影作業が出来るようになった。
【０００８】
【発明の実施の形態】
本発明の実施の形態について実施例となる図面を参照して説明する。
図１は、本発明の実施例の全体構成を示す正面説明図であって、１，１’は蛍光灯を装着した照明器本体（以下本体と称す）、２，２’は本体１，１’を回動自在に連結した軸着点１０１，１０２及び１０３，１０４を介して保持する回転枠、３，３’は両端に回転枠２，２’を互いに干渉しない状態で軸着点２０１，２０２、及び２０３，２０４で連結する連結バーで、４，４’は連結バー３，３’をほぼ中央の軸着点３０１、３０２で支持する支柱、５はキャスター６を有し支柱４，４’を介し全体を保持する架台である。
【０００９】
この実施例では照明器本体１，１’に、ソフトな陰影を継続的に得るために蛍光灯を用いたが、通常の蛍光灯では、ソフトで継続的な照明が得られる反面、輝度不足と成るので、近年開発された高周波点灯式ツインパラレル蛍光灯を採用する事により、高能率でちらつきの無い照明  （定格９６Ｗで８，６００ｌｍ，周波数５０，０００Ｈｚ）  が得られた。
【００１０】
照明器本体は約９００ｍｍ角の筐体に、ツインパラレル蛍光灯９６Ｗ４本を組み込み、全光束３４，４００ｌｍを効率良く片面に集中させるための反射板を設けた。これを１装置に２台組み込み、それぞれの位置と角度を、被照体に対し最適に合わせる事によって、人物１人の場合はＩＳＯ  １００のフイルムで、絞り８、シャッター速度１／６０ｓｅｃ以上で撮れるようになった。
但し業務用としては、２組の装置を左右に配し調光でバランスを採りながら撮影するのが望ましい。
尚多人数の場合は装置数を増やして対応する。
【００１１】
撮影用照明には輝度と同じく演色性（色の見え方に及ぼす光源の性質）が重要な要素である。  デジタルカメラの場合はホワイトバランスや色調が、撮影の前後にカメラ自体やパソコンで調整ができるので問題はないが、銀塩フィルムの場合は演色性の良いランプ（例えば色温度５，０００Ｋ、Ｒａ９９等）を使用するか、補色性の有る他のランプを混用するか、又はレンズフィルターで調整する等の配慮が必要である。
【００１２】
被照面照度は、本体の位置や角度を変えて調整する事が基本であるが、ランプを選択して点滅したり、電気的な調光を併用して行う事で最適なライティングを行う事が出きる。
【００１３】
また、本体１，１’の位置や設定角の固定は、光量の固定と同意語で重要な事であり、その方法は、凹凸の組み合わせや、角度設定用円板を用いて固定する事も出きるが、確実な固定と共に、円滑で迅速に操作出来る事が好ましい。その為に先ず照明器本体１，１’の重心に仮想回転軸を合わせることによって無用な回転力を無くし、更に本体１と１’との質量が均衡する様に連結バー３，３’の中央に軸着点３０１，３０２を設け回転力を相殺して、各軸着点（１０１，１０２，１０３，１０４，２０１，２０２，２０３，２０４，３０１，３０２）での保持に要する力を極力軽減した上で、静摩擦と動摩擦を応用した保持と回動の機能を兼備した軸着点を設けた。
【００１４】
かかる構成に於ける全体の移動や回転は、キャスター６によって行い、本体１，１’の左右回動は、本体１が軸着点１０１、１０２を仮想軸として回動し、本体１’は軸着点１０３、１０４を仮想軸として回動する、上下回動は、本体１が軸着点２０１、２０２を仮想軸として回動し、本体１’は軸着点２０３、２０４を仮想軸として回動する。尚、本体１と１’の前後回動は、連結バー３，３’の軸着点３０１，３０２を仮想軸として回動する。更に、連結バー３，３’を延長する場合は、延長部４０１，４０２及び４０３，４０４で、連結バー３，３’部材内のインサート（点線図示）を引き出して各ロックビス４１０でロックする。更に各ロックビス４１０を外して、インサートを引き出せば分離する事ができる。連結バー３，３’の延長は後述する実施例３，４に対応する為であり、分離は装置の高さ約２．２Ｍを約１．３Ｍに下げて、別の部屋等への小移動や格納を容易にする為である。更に輸送等大移動の場合は、各軸着点（１０１，１０２，１０３，１０４，２０１，２０２，２０３，２０４，３０１，３０２）と、ジョイント部５０１，５０２のナットを外して分解する。
尚、電源や調光部等電気関係については図２及び図７で説明する。
【００１５】
図２は、本発明の実施例の全体構造を示す側面説明図であって、全体を支え移動機能を持つ架台５は、支柱４と、軸着点３０１を介し連結バー３を支持し、連結バー３は軸着点２０１を介して回転枠２を支持する。更に回転枠２は軸着点１０１を介して本体１を順次支持している。併設の本体１’も同様に架台５を支持していて、それぞれが矢印の如く、軸着点を中心にして回動し、又架台５がキャスター６によって前後左右に変角移動が出来る事は図１での説明した通りである。尚ノブ３３０は軸着点３０１に於いて、ロックを緩め（静摩擦力を軽減し）て、本体１，１’を前後回動させ、任意の角度で再度ロックする為のものである。
【００１６】
６０１は電源コード。６０２は中継コードで、本体１から本体１’への電力と調光信号を中継する。７０１はメインスイチ付き調光器で、入力電力のＯＮ／ＯＦＦと、調光信号の送出を行う。７０２は分電盤で、本体１’の電気回路を切り替えて調光信号のＯＮ／ＯＦＦと、４本の蛍光灯を２本ずつ分割点灯する。
【００１７】
図３は、本発明の実施例となる回動部の構造断面を説明する説明図である。  先ず図３（Ａ）は、本体１と回転枠２を軸着している軸着点１０１の断面図で、１１０は貫通しているボルト、１２０はドライメタル、１３０は回転枠２に固定した円筒、１４０は２枚構成のパッキン、１５０は本体１の補強材、１６０は平ワッシャ、１７０はスプリングワッシャ、１８０はナットで構成されている。尚本体１’も本体１と同様に構成されている。
【００１８】
回動と保持、即ち動摩擦力と静摩擦力の調節は、ボルト１１０とナット１８０で締め付け強度で行い、ドライメタル１２０、円筒１３０、回転枠２、パッキン１４０、補強材１５０、平ワッシャ１６０及びスプリングワッシャ１７０相互間の摩擦力を利用して、適度な手動力で回動し始め、放すと確実に保持する強度を求めて行う。更に保持する強度が回動によって度々変化しない様に、即ち各接触面の圧力が回動によって変わらないように、ナット１８０の自由回転を阻止する為ダブルナットとしている。
【００１９】
図３（Ｂ）は、回転枠２と連結バー３とを軸着している軸着点２０１の断面図である。その構成はボルト２１０の一端が回転枠２に固定され、２枚構成のパッキン２６０を連結バー３，３’に固定された円筒２５０で挟み、更に連結バー３，３’をドライメタル２４０と平ワッシャ２７０、スプリングワッシャ２３０で挟みナット２２０で締め付けてなっている。尚、回転枠２’も回転枠２と同様に構成されている。
【００２０】
作用は前述の図３（Ａ）と同様で、ナット２２０を締め付ける事によってパッキン２６０同士と、パッキン２６０、回転枠２、連結バー３、ドライメタル２４０、平ワッシャ２７０及びスプリングワッシャ２３０相互間の摩擦抵抗を調節している。尚ボルト２１０が回転枠２に固定されているので、回動により生ずる回転枠２と連結バー３の位相のずれが連結バー３とナット２２０間に現われその結果ナット２２０とボルト２１０間に相対的な動きが生じて、締め付け圧力が変わり摩擦力が変わっては不都合なため、鍔つきドライメタル２４０を挿入し、これを含めた摩擦力より大きな阻止力が得られるようにナット２２０側にスプリングワッシャ２３０を用いている。
【００２１】
図３（Ｃ）は、連結バー３と支柱４とを軸着した軸着点３０１の断面図である。その構成はボルト３１０の一端が連結バー３に固定され、連結バー３と支柱４の間にパッキン３２０を挟んで貫通している、ノブ３３０は支柱４との間にスプリングワッシャ３４０と平ワッシャ３５０を挟み、ボルト３１０と係合している。尚、連結バー３’と支柱４’との軸着点３０１’も同様に構成されている。
【００２２】
動作原理は前記の図３（Ａ）及び図３（Ｂ）と同様であるが、摩擦力をノブ３３０の締め付け方で調整している。尚回動するのは連結バー３，３’と、これに固定されているボルト３１０であり、回動によって摩擦力の設定が度変わらないように支柱４，４’側に平ワッシャ３５０を、ノブ３３０側に回動抵抗の大きいスプリングワッシャ３４０を配して，ノブ３３０がボルト３１０と共に回動するように配慮している。図３（Ａ）や図３（Ｂ）と同様にボルト３１０と支柱４，４’の間にドライメタルを用いなかったのは、回動より制動を重視した為である。
【００２３】
図４は、本発明の実施例の代表的な第１の使用例を示す説明図で、本体１を連結バー３，３’の回動によって、少し前方にせり出し、且つ回転枠２の軸着点２０１，２０２によって少々下方に傾斜し、更に軸着点１０１、１０２を回転軸として少し右に振った例である。一方本体１’は連結バー３，３’の動きに連動して、少し後方に退き軸着点１０３、１０４を回転軸として、少々右に振った状態を現わしている。
【００２４】
本体１，１’は、何れも上下左右、どの角度に振っても重心は常に連結バーの軸着点２０１と、対応する軸着点２０２及び軸着点２０３、２０４を結ぶ仮想の回転軸上に有り、更にその質量は支柱４，４’との軸着点３０１，３０２で均衡している為、静止摩擦力は小さくても安定した状態を保持する事が出来る。
【００２５】
図５は、本発明の実施例の第２の使用例で、主に小型商品やアクセサリーの撮影に用いる形態を示す説明図である。本体１は回転枠２を介する軸着点１０１，１０２及び２０１，２０２による二次元の動きで、好ましい照射角を設定し、本体１’は連結バー３，３’の軸着点２０３，２０４でほぼ９０°上向きに回動し、更に延長部４０３，４０４’で連結バー３，３’のインサート部分を引き出し固定した状態である。被写体は、本体１’の上方にガラス板等を介して置き、上下の本体１，１’からの照射角や光量をアジャストしながら撮影する。
【００２６】
図６は、本発明の実施例の第３の使用例で，展示品や子供達など横に広がって居る様な被写体の撮影に用いる形態を示す説明図である。＋連結バー３，３’をやや水平にし、軸着点２０１と対応する軸着点２０２及び軸着点２０３と対応する軸着点２０４で回転枠２，２’を約９０°回動し、更に軸着点１０１、１０２及び１０３、１０４において、それぞれ本体１，１’を大く回動した例を示している。尚連結バー３，３’の延長部４０１，４０３は必要に応じ、それぞれ対応する延長部４０２、４０４と共にインサートを同じ長さだけ引き出している
【００２７】
図７は、本発明の実施例の電気回路を示す説明図で、６０１は電源コード、７０１はメインスイチ付き調光器（ライトコントローラ）、６０３は負荷出力線、６０４はインバータ器具（蛍光灯を含む、本体１を示す）、６０５はインバータ器具（蛍光灯を含む、本体１’を示す）、６０６は個別電源スイチ、６０７は調光信号出力線、６０８は調光信号ＯＮ／ＯＦＦスイチである。
【００２８】
電源の電圧はＡＣ１００Ｖ，  周波数は  ５０，６０Ｈｚ共用、容量は本体一台当たり３４８Ｗ、計６９６Ｗで、電流約７Ａは家庭でも充分使える容量である、尚調光信号は１０Ｖ，５０，０００Ｈｚである。
【００２９】
【発明の効果】
以上の説明で明らかなように、本発明による請求項１￣３に記載の撮影用ユニバーサルライティング装置は、近年開発された高輝度、高能率の高周波点灯式ツインパラレル蛍光灯を光源とし、これを必要数（９６Ｗ，４本）組み込んだ本体２台を１組とし、更に前記本体を個別に照射角の設定が、ワンタッチで出来る様にしたのでその効果は、ストロボに代わる撮影用照明器として、光量を確保し、蛍光灯による面光源を得る事が出来、更に陰影やトーンの設定が容易に成った事で、モデル側も強烈なフラッシュを何回も浴びる事が無く、特に子供の場合は自然な表情が掴み易く成り、撮影作業の能率を飛躍的に向上させる事が出来た。
更に、今後業務用としての利用が益々積極的になる、デジタルカメラとは相性が良く、最適なライティング装置である。
【００３０】
【図面の簡単な説明】
【図１】本発明の実施例の全体構成を示す正面説明図である。
【図２】本発明の実施例の全体構成を示す側面説明図である。
【図３】（Ａ），（Ｂ），（Ｃ）  本発明の軸着点の実施例を示す構造断面図である。
【図４】本発明の実施例の代表的な第１の使用例を示す説明図である。
【図５】本発明の実施例の第２の使用例で主に小型商品の撮影に用いる形態を示す説明図である。
【図６】本発明の実施例の第３の使用例で展示品など横に広い被写体の撮影に用いる形態を示す説明図である。
【図７】本発明の実施例の電気回路を示す説明図である。
【００３１】
【符号の説明】
１、１’        照明器本体
２、２’      回転枠
３、３’        連結バー
４、４’            支柱
５、            架台
６、            キャスター
１０１，１０２，１０３，１０４，  ２０１，２０２，２０３，２０４，  ３０１，３０２    軸着点
４０１，４０２，４０３，４０４、  延長部
４１０              ロックビス
５０１，５０２、        ジョイント部
１２０、２４０          ドライメタル
１３０、２５０          パイプ
１４０、２６０、３２０      パッキン
１５０              本体補強材
１６０，２７０，３５０      平ワッシャ
１８０、２２０          ナット
１７０、２３０，３４０      スプリングワッシャ
３３０  ノブ
６０１  電源コード
６０２  中継コード
６０３、            負荷出力線
６０４、            インバータ器具（本体１）
６０５、            インバータ器具（本体１’）
６０６、            個別電源スイチ
６０７、            調光信号出力線
６０８              調光信号ＯＮ／ＯＦＦスイチ
７０１  メインスイチと調光器
７０２  分電盤
【図１】
2004178908.tif 000003
【図２】
2004178908.tif 000004
【図３】
2004178908.tif 000005
【図４】
2004178908.tif 000006
【図５】
2004178908.tif 000007
【図６】
2004178908.tif 000008
【図７】
2004178908.tif 000009